(57)【要約】【課題】芳香と脱臭を効率的に行い、無駄に芳香剤を使用することもなく、また異臭を発生するもことない、トイレ用脱臭芳香器を提供することを目的とする。【解決手段】少なくとも臭気を吸着あるいは分解する機能を有した脱臭機能部と、芳香剤の発生機能を有した芳香発生部とからなるトイレ用脱臭芳香器において、脱臭機能部運転時には芳香発生部が停止し、芳香発生部運転時には脱臭機能部が停止するようにした。さらにファンとファンを駆動するファンモータと、風路切換機構部とを設け、風路切換機構により脱臭機能部への風路と芳香発生部への風路とに切換可能な構造とした。【選択図】　図１
2004141618.tif 000002
【特許請求の範囲】
【請求項１】
少なくとも臭気を吸着あるいは分解する機能を有した脱臭機能部と、芳香剤の発生機能を有した芳香発生部とからなるトイレ用脱臭芳香器において、脱臭機能部運転時には芳香発生部が停止し、芳香発生部運転時には脱臭機能部が停止することを特徴とするトイレ用脱臭芳香器。
【請求項２】
請求項１に記載のトイレ用脱臭芳香器において、前記トイレ用脱臭芳香器は、前記脱臭機能部と、前記芳香発生部と、ファンと前記ファンを駆動するファンモータと、風路切換機構部とから構成され、前記風路切換機構により脱臭機能部への風路と芳香発生部への風路とに切換可能な構造であることを特徴とするトイレ用脱臭芳香器。
【請求項３】
請求項１に記載のトイレ用脱臭芳香器において、前記ファンモータは回転数を制御することによって空気吹き出し量を制御しうる風量制御手段を備えるとともに、前記芳香発生部は液状又は固体状の芳香剤を貯蔵する芳香剤貯蔵部と、前記芳香剤を加熱して芳香成分を気化させる芳香発生手段を備えた芳香加熱部と、前記芳香成分の加熱条件を変化させることにより気化状態を制御する芳香成分揮発量制御手段とを備えたことを特徴とするトイレ用脱臭芳香器。
【請求項４】
大便臭や小便臭の臭気濃度を検知するニオイセンサーを設けるとともに、前記風量制御手段および芳香成分揮発量制御手段は、前記ニオイセンサーにより検知される臭気濃度が一定値以下になった場合に、芳香発生手段から芳香剤を発生させるとともに、トイレ空間の芳香濃度が略一定値となるように芳香剤の発生量を制御することを特徴とする請求項３記載のトイレ用脱臭芳香器。
【請求項５】
脱臭機能部が脱臭剤であるとともに、風量制御手段は、前記ニオイセンサーにより検知される臭気濃度が一定値以上で、芳香剤の発生を停止している時、前記ニオイセンサーにより検知される臭気濃度に応じて、ファンの回転数を制御することを特徴とする請求項４記載のトイレ用脱臭芳香器。
【請求項６】
脱臭機能部がオゾン発生装置であるとともに、前記ニオイセンサーにより検知される臭気濃度が一定値以上で、芳香剤の発生を停止している時、前記ニオイセンサーにより検知される臭気濃度に応じて、風量制御手段は、ファンの回転数を制御するとともに、オゾン発生量を制御するオゾン量制御手段を備えたことを特徴とする請求項４記載のトイレ用脱臭芳香器。
【請求項７】
脱臭機能部が光触媒脱臭装置であるとともに、前記ニオイセンサーにより検知される臭気濃度が一定値以上で、芳香剤の発生を停止している時、前記ニオイセンサーにより検知される臭気濃度に応じて、風量制御手段は、ファンの回転数を制御するとともに、光触媒脱臭装置における光源の強度もしくは照射時間の少なくともどちらか一方を制御する脱臭性能制御手段を備えたことを特徴とする請求項４記載のトイレ用脱臭芳香器。
【請求項８】
人体検知部を設け、前記人体検知信号に基づき脱臭運転および芳香運転を行う運転制御手段を備え、前記運転制御手段は、人体検知信号受信中は、脱臭運転するとともに、芳香成分の加熱を停止し、脱臭運転のみを行い、人体検知信号が無くなった後に芳香成分の加熱を開始し、芳香運転を行う
制御であることを特徴とする請求項３記載のトイレ用脱臭芳香器。
【請求項９】
前記人体検知部は、本体と別体としたことを特徴とする請求項８記載のトイレ用脱臭芳香器。
【請求項１０】
前記人体検知部は、他の機器と兼用されていていることを特徴とする請求項８または９記載のトイレ用脱臭芳香器。
【請求項１１】
トイレ使用履歴を記憶し、前記トイレ使用履歴に基づき脱臭および芳香運転を行う運転制御手段を備え、前記運転制御手段は、トイレ使用頻度が高い時間帯は脱臭運転を行い、トイレ使用頻度が低い時間帯は、芳香運転のみ行う　制御であることを特徴とする請求項１記載のトイレ用脱臭芳香器。
【請求項１２】
芳香運転時において、風量制御手段および芳香成分量制御手段は、トイレ空間の芳香濃度が略一定値となるように芳香剤の発生量を制御することを特徴とする請求項８から１１いずれか記載のトイレ用脱臭芳香器。
【請求項１３】
脱臭機能部が脱臭剤であるとともに、大便臭や小便臭の臭気濃度を検知するニオイセンサーを設け、前記ニオイセンサーにより検知される臭気濃度に応じて、風量制御手段は、ファンの回転数を制御することを特徴とする請求項８から１２いずれか記載のトイレ用脱臭芳香器。
【請求項１４】
脱臭機能部がオゾン発生装置であるとともに、大便臭や小便臭の臭気濃度を検知するニオイセンサーを設け、前記ニオイセンサーにより検知される臭気濃度に応じて、風量制御手段は、ファンの回転数を制御するとともに、オゾン発生量を制御するオゾン量制御手段を備えたことを特徴とする請求項８から１２いずれか記載のトイレ用脱臭芳香器。
【請求項１５】
脱臭機能部が光触媒脱臭装置であるとともに、大便臭や小便臭の臭気濃度を検知するニオイセンサーを設け、前記ニオイセンサーにより検知される臭気濃度に応じて、風量制御手段は、ファンの回転数を制御するとともに、光触媒脱臭装置における光源の強度もしくは照射時間の少なくともどちらか一方を制御する脱臭性能制御手段を備えたことを特徴とする請求項８から１２いずれか記載のトイレ用脱臭芳香器。
【請求項１６】
自動運転を行っている場合においても、手動で脱臭運転および芳香運転を制御することが可能な手動運転制御手段を備えていることを特徴とする請求項１から１５記載のトイレ用脱臭芳香器。
【請求項１７】
手動により脱臭運転および芳香運転を制御した後、手動で自動運転に切り換えることが可能な自動運転切り換え制御手段を備えたことを特徴とする請求項１６記載のトイレ用脱臭芳香器。
【請求項１８】
手動により脱臭運転および芳香運転を制御した後、一定時間経過すると自動運転に自己復帰する自動運転復帰制御手段を備えたことを特徴とする請求項１６および１７記載のトイレ用脱臭芳香器。
【発明の詳細な説明】
【０００１】
【発明の属する技術分野】
本発明は、脱臭と芳香を行えるトイレ用脱臭芳香器に関する。
【０００２】
【従来技術】
トイレ空間において、臭気を緩和するために芳香剤や芳香機能を有する芳香器を設けていた。この芳香器は、従来、トイレ空間においては芳香の目的のみで使用されるのが常であり、このため単独で設置されることが多かった。
【０００３】
また、臭気に対し、より快適な環境とするために芳香に加えて、脱臭も同時に行うため、両方の機能を併せ持った芳香器を、設置することも考えられる。例えば、特開平４−２８８１６４のように、脱臭機能と芳香機能を併せ持った機器も提案されている（特許文献１）。なお、この機器の場合には、芳香成分の発生濃度は、芳香剤と外気の接触面積で決められている。
【０００４】
【特許文献１】
特開平４−２８８１６４号公報
【０００５】
【発明が解決しようとする課題】
しかしながら、芳香器が単独で設置されていると、芳香成分自体は快適な香りであったとしても、トイレ使用後のトイレ室内においては、芳香成分が小便臭や大便臭などと混合してしまい、かえって異臭の原因となってしまうことがあった。
【０００６】
芳香器と脱臭器が同時に運転すると、芳香器が発生する芳香成分を脱臭器が脱臭する上、脱臭器に吸着した芳香成分の一部が徐放され、異臭の原因となることもあった。
【０００７】
また、特開平４−２８８１６４にあるように、芳香成分の発生濃度を調節する手段として、芳香剤との接触面積によって調節すると、精度の良い芳香成分濃度を得ることが難しいうえ、芳香濃度を最適に制御することが難しいという課題があった。また、芳香成分の濃度を調節しないため、トイレを使用しない場合など、無駄に芳香剤を使用するといった不具合があった。
【０００８】
本発明は、上記課題を解決するためになされたもので、本発明は異臭を発生することなく芳香と脱臭を効率的に行い、無駄に芳香剤を使用することもない、トイレ用脱臭芳香器を提供することを目的とする。
【０００９】
【課題を解決するための手段】
上記課題を解決するためになされた請求項１記載の発明は、少なくとも臭気を吸着あるいは分解する機能を有した脱臭機能部と、芳香剤の発生機能を有した芳香発生部とからなるトイレ用脱臭芳香器において、脱臭機能部運転時には芳香発生部が停止し、芳香供給部運転時には脱臭機能部が停止することを特徴とする。
【００１０】
上記構成とすることにより、脱臭と芳香が同時に運転することがないため、芳香剤を脱臭することがなくなり、無駄な芳香剤をなくすことができる。また、芳香剤は、悪臭物質と比べ分子量が大きく、含有している成分数も非常に多い。脱臭機が触媒などで臭気成分を分解する機能を有しているものは、芳香剤の各種成分を分解しようとするが、芳香剤成分の分子量が大きいため完全に分解しきれずに中間生成物の状態で放出してしまい異臭原因となる。また、脱臭機の脱臭機能部が吸着剤の場合は、各種芳香剤の臭気成分をすべて吸着せずに選択的に吸着するため芳香剤の成分バランスが崩れ異臭の原因となる。よって、芳香剤が漂っている空間で臭気を吸着あるいは分解する機能を有した脱臭機能部を運転しないほうが好ましい。
【００１１】
請求項２に記載の発明は、請求項１に記載のトイレ用脱臭芳香器において、前記トイレ用脱臭芳香器は、前記脱臭機能部と、前記芳香発生部と、ファンと前記ファンを駆動するファンモータと、風路切換機構部とから構成され、前記風路切換機構により脱臭機能部への風路と芳香発生部への風路とに切換可能な構造であることを特徴とする。
【００１２】
上記構成とすることにより、確実に脱臭機能部運転時には芳香発生部を停止し、芳香発生部運転時には脱臭機能部を運転することができる。また、ファンとファンモータで強制的にトイレ室内の空気を循環できるため、素早く脱臭できると瞬時にトイレ室内へ芳香剤を拡散することもできる。
【００１３】
請求項３に記載の発明は、請求項１に記載のトイレ用脱臭芳香器において、前記ファンモータは回転数を制御することによって空気吹き出し量を制御しうる風量制御手段を備えるとともに、前記芳香発生部は液状又は固体状の芳香剤を貯蔵する芳香剤貯蔵部と、前記芳香剤を加熱して芳香成分を気化させる芳香発生手段を備えた芳香加熱部と、前記芳香成分の加熱条件を変化させることにより気化状態を制御する芳香成分揮発量制御手段とを備えたことを特徴とする。
【００１４】
上記構成とすることにより、加熱して芳香成分を気化させる芳香発生手段を用いることにより、加熱条件の変化による芳香成分濃度の制御が可能となり、使用者の希望に応じた芳香成分濃度の維持を行うことができる。また、芳香成分濃度の制御により、芳香剤自体も、経済的に使用することができる。
【００１５】
また、本発明の好ましい態様においては、請求項４記載のように、大便臭や小便臭の臭気濃度を検知するニオイセンサーを設けるとともに、前記風量制御手段および芳香成分揮発量制御手段は、前記ニオイセンサーにより検知される臭気濃度が一定値以下になった場合に、芳香発生手段から芳香剤を発生させるとともに、トイレ空間の芳香濃度が略一定値となるように芳香剤の発生量を制御する構成とすることである。
【００１６】
ここで、トイレ空間の芳香濃度が略一定値となるように芳香剤の発生量を制御する制御手段とは、トイレ空間の広さや換気量に応じて、芳香剤の加熱手段を一定時間ごとにオンオフしたり、加熱温度を変化させるようにあらかじめ決められた動きを行う制御手段を指す。
【００１７】
このような構成とすることにより、小便臭や大便臭と芳香成分が混合し悪臭を発生することを自動で確実に防ぐことか可能となるとともに、トイレ空間の芳香濃度を略一定値となるように芳香剤の発生量を制御するため、芳香剤の無駄な消費を抑制することが可能となる。
【００１８】
また、本発明の好ましい態様においては、請求項５記載のように、脱臭機能部が脱臭剤であるとともに、風量制御手段は、前記ニオイセンサーにより検知される臭気濃度が一定値以上で、芳香剤の発生を停止している時、前記ニオイセンサーにより検知される臭気濃度に応じて、ファンの回転数を制御する構成とすることである。
【００１９】
脱臭剤による脱臭能力は、脱臭剤を通過する空気流量により決まる、つまりファンの回転数により決まるため、このような構成とすることにより、臭気濃度に応じた脱臭運転が可能となるため、効率良く脱臭運転を行うことが可能となる。
【００２０】
また、本発明の好ましい態様においては、請求項６記載のように、脱臭機能部がオゾン発生装置であるとともに、前記ニオイセンサーにより検知される臭気濃度が一定値以上で、芳香剤の発生を停止している時、前記ニオイセンサーにより検知される臭気濃度に応じて、風量制御手段は、ファンの回転数を制御するとともに、オゾン発生量を制御するオゾン量制御手段を備えた構成とすることである。
【００２１】
オゾン脱臭における脱臭能力は、オゾン発生量により決まり、トイレ空間に放出するオゾンの量は空気流量、つまりファンの回転数により決まるため、このような構成とすることにより、臭気濃度に応じた脱臭運転が可能となるため、効率良く脱臭運転を行うことが可能となる。
【００２２】
また、本発明の好ましい態様においては、請求項７記載のように、脱臭機能部が光触媒脱臭装置であるとともに、前記ニオイセンサーにより検知される臭気濃度が一定値以上で、芳香剤の発生を停止している時、前記ニオイセンサーにより検知される臭気濃度に応じて、風量制御手段は、ファンの回転数を制御するとともに、光触媒脱臭装置における光源の強度もしくは照射時間の少なくともどちらか一方を制御する脱臭性能制御手段を備えた構成とすることである。
【００２３】
光触媒脱臭装置における脱臭能力は、光の照射時間や光の強度と光触媒に通過する風量つまりファンの回転数により決まるため、このような構成とすることにより、臭気濃度に応じた脱臭運転が可能となるため、効率良く脱臭運転を行うことが可能となる。
【００２４】
また、本発明の好ましい態様においては、請求項８記載のように、人体検知部を設け、前記人体検知信号に基づき脱臭運転および芳香運転を行う運転制御手段を備え、前記運転制御手段は、人体検知信号受信中は、脱臭運転するとともに、芳香成分の加熱を停止し、脱臭運転のみを行い、人体検知信号が無くなった後に芳香成分の加熱を開始し、芳香運転を行う制御である構成とすることである。
【００２５】
このような構成とすることにより、人体検知信号受信中、つまり、トイレ使用中の場合は、脱臭運転を行うことにより、トイレ使用中に発生する小便臭や大便臭を脱臭することが可能となり、トイレを使用していない場合は、芳香運転を行うため、小便臭や大便臭と芳香成分が混合し、異臭を発生する不具合を自動運転によって解消することが可能となるとともに、次の使用者が使用する際には、トイレ空間は芳香されている状態とすることが可能となる。
【００２６】
また、本発明の好ましい態様においては、請求項９記載のように、前記人体検知部は、本体と別体とした構成とすることである。
【００２７】
このような構成とすることにより、人体を検知しやすいところに配置することが可能となり、より確実に人体検知を行うことが可能となる。
【００２８】
また、本発明の好ましい態様においては、請求項１０記載のように、前記人体検知部は、他の機器と兼用されていている構成とすることである。
【００２９】
このような構成とすることにより、トイレ空間に複数の機器が、人体検知信号を介して動作する場合、人体検知部は一つでよいので、省スペースで経済的である。
【００３０】
また、本発明の好ましい態様においては、請求項１１記載のように、トイレ使用履歴を記憶し、前記トイレ使用履歴に基づき脱臭および芳香運転を行う運転制御手段を備え、前記運転制御手段は、トイレ使用頻度が高い時間帯は脱臭運転を行い、トイレ使用頻度が低い時間帯は、芳香運転のみ行う制御である構成とすることである。
【００３１】
使用履歴の記憶方法は、人体検知手段における信号を利用する手段や、トイレ空間に入る時に使用するドアの開閉回数をカウントする装置やトイレ洗浄回数をカウントする装置などの信号を利用する手段でもよい。
【００３２】
トイレ使用頻度とは、一日のうちのトイレ使用回数の頻度や、一週間分の曜日別のトイレ使用回数の頻度などを指し、本発明においては、一日によるトイレ使用頻度に基づく制御や一週間の曜日別のトイレ使用頻度などに基づく制御などを行う。
【００３３】
このような構成とすることにより、トイレ使用頻度が高い場合は、脱臭運転を行うことにより、トイレ使用中に発生する小便臭や大便臭を脱臭することが可能となり、トイレ使用頻度が低い場合は、芳香運転を行うため、自動運転によって、小便臭や大便臭と芳香成分が混合し、異臭を発生する不具合を少なくすることが可能となる。
【００３４】
また、本発明の好ましい態様においては、請求項１２記載のように、芳香運転時において、風量制御手段および芳香成分量制御手段は、トイレ空間の芳香濃度が略一定値となるように芳香剤の発生量を制御する構成とすることである。
【００３５】
ここで、トイレ空間の芳香濃度が略一定値となるように芳香剤の発生量を制御する制御手段とは、トイレ空間の広さや換気量に応じて、芳香剤の加熱手段を一定時間ごとにオンオフしたり、加熱温度を変化させるようにあらかじめ決められた動きを行う制御手段を指す。
【００３６】
このような構成とすることにより、トイレ空間の芳香濃度を略一定値となるように芳香剤の発生量を制御するため、芳香剤の無駄な消費を抑制することが可能となる。
【００３７】
また、本発明の好ましい態様においては、請求項１３記載のように、脱臭機能部が脱臭剤であるとともに、大便臭や小便臭の臭気濃度を検知するニオイセンサーを設け、前記ニオイセンサーにより検知される臭気濃度に応じて、風量制御手段は、ファンの回転数を制御する構成とすることである。
【００３８】
脱臭剤による脱臭能力は、脱臭剤を通過する空気流量により決まる、つまりファンの回転数により決まるため、このような構成とすることにより、臭気濃度に応じた脱臭運転が可能となるため、効率良く脱臭運転を行うことが可能となる。
【００３９】
また、本発明の好ましい態様においては、請求項１４記載のように、脱臭機能部がオゾン発生装置であるとともに、大便臭や小便臭の臭気濃度を検知するニオイセンサーを設け、前記ニオイセンサーにより検知される臭気濃度に応じて、風量制御手段は、ファンの回転数を制御するとともに、オゾン発生量を制御するオゾン量制御手段を備えた構成とすることである。
【００４０】
オゾン脱臭における脱臭能力は、オゾン発生量により決まり、トイレ空間に放出するオゾンの量は空気流量、つまりファンの回転数により決まるため、このような構成とすることにより、臭気濃度に応じた脱臭運転が可能となるため、効率良く脱臭運転を行うことが可能となる。
【００４１】
また、本発明の好ましい態様においては、請求項１５記載のように、脱臭機能部が光触媒脱臭装置であるとともに、大便臭や小便臭の臭気濃度を検知するニオイセンサーを設け、前記ニオイセンサーにより検知される臭気濃度に応じて、風量制御手段は、ファンの回転数を制御するとともに、光触媒脱臭装置における光源の強度もしくは照射時間の少なくともどちらか一方を制御する脱臭性能制御手段を備えた構成とすることである。
【００４２】
このような構成とすることによって、光触媒脱臭装置における脱臭能力は、光の照射時間や光の強度と光触媒に通過する風量つまりファンの回転数により決まるため、臭気濃度に応じた脱臭運転が可能となるため、効率良く脱臭運転を行うことが可能となる。
【００４３】
また、本発明の好ましい態様においては、請求項１６記載のように、自動運転を行っている場合においても、手動で、脱臭運転および芳香運転を制御することが可能な制御手段を備えている構成とすることである。
【００４４】
このような構成とすることにより、自動運転が行われている場合においても、使用者の好みによって脱臭運転および芳香運転の制御か可能なため、使い勝手が良くなる。
【００４５】
また、本発明の好ましい態様においては、請求項１７記載のように、手動により脱臭運転および芳香運転を制御した後、手動で自動運転に切り換えることが可能な制御手段を備えた構成とすることである。
【００４６】
このような構成とすることにより、手動で脱臭運転および芳香運転を制御した後、自動運転に戻すことが可能となるため、トイレ空間に利用者がいない場合などでも無駄に芳香剤を消費するなどの不具合が起こる可能性を低くすることができる。
【００４７】
また、本発明の好ましい態様においては、請求項１８記載のように、手動により脱臭運転および芳香運転を制御した後、一定時間経過すると自動運転に自己復帰する制御手段を備えた構成とすることである。
【００４８】
このような構成とすることにより、自動運転中に使用者が手動で脱臭運転や芳香運転の制御を行った場合一定時間経過後に自動運転に自己復帰するため、トイレ空間に利用者がいない場合などでも無駄に芳香剤を消費するなどの不具合が起こる可能性を低くすることができる。
また、、使用者が自動運転に切り換える作業を忘れた場合においても、自動運転に切り換えることが可能となる。
【００４９】
【発明の実施形態】
以下に、図面に基づいて本発明の実施例について説明する。図１〜図２は本発明の第一の実施例に用いるトイレ用脱臭芳香器の構成図であり、図１はトイレ用脱臭芳香器の外観図、図２はトイレ用脱臭芳香器の分解図である。
【００５０】
脱臭芳香器１は、ベースプレート１０、モータプレート２０、ファン・モータ３０、ファンケース４０、制御基板５０、芳香供給装置６０、活性炭７０、風路切換板７５、芳香供給装置押え８０、風向板９０、本体ケース１００、プレフィルタ１１０、ニオイセンサー１２０、パネル１３０よりなっており、風向切換板７５により活性炭７０を通過する風路と通過しない風路とに風路変更が可能となっている。
【００５１】
ニオイセンサー１２０は、プレフィルタの風路上流部に設けてあり、トイレ空間の臭気濃度を測定するようにしてある。
【００５２】
脱臭運転時にはファン・モータ３０が駆動すると共に風向切換板７５により活性炭７０を通過する風路が開放される。トイレ空間の空気は、吸込口２より吸込まれ、プレフィルタ１１０、活性炭７０をとおり、ファンケース吸込口４１に吸込まれる。吸込まれた空気は、ファン・モータによってファンケース風路４２、停止状態の芳香供給装置６０を通り吹出口３より吹き出される。
【００５３】
芳香運転時にはファンモータ３０が駆動すると共に風向切換板７５により活性炭を通過しない風路が開放される。トイレ空間の空気は吸込口２より吸込まれ、プレフィルタ１１０を通り、ファンケース吸込口４１に吸込まれる。吸込まれた空気は、ファンモータによってファンケース風路４２、運転状態の芳香供給装置６０を通り吹出口３より吹き出される。
【００５４】
芳香供給装置６０は、液体の芳香剤、ヒータ（図示せず）を備えており、液体芳香剤を加熱し気化させることによって芳香成分を発生させる構成となっており、加熱温度および、加熱のオンオフは予め決められた動きをするように制御されている。
【００５５】
次に、脱臭芳香器１における制御方法を図３を用いて説明する。トイレを使用することによって、ニオイセンサーにおけるトイレ空間の臭気強度測定値がＡ値以上になった場合、風向切換板７５により活性炭を通過する風路が開放されると共にファン・モータが駆動する。前期臭気強度が高い場合は、ファンの回転数を上げ、脱臭剤である活性炭を通過する空気の量を増やすことによって、臭気強度をすばやく低下させるとともに、臭気強度の低下とともにファンの回転数を低くすることによって、臭気強度に応じた脱臭作用を提供するように制御されている。
【００５６】
また、ニオイセンサーにおけるトイレ空間の臭気強度測定値がＡ値未満になったとき、風向切換板７５により活性炭を通過しない風路が開放されると共にファン・モータが駆動し芳香運転を開始する。
【００５７】
芳香開始時は、トイレ空間の芳香濃度は低いため、加熱温度を高くするとともに、ファンの回転数を高くし、トイレ空間にすばやく芳香成分が行き渡るように制御されている。
【００５８】
また、一定時間芳香運転が行われた後、芳香剤の加熱およびファンの運転を停止した後、一定時間ごとに芳香運転のオンオフを繰り返すように制御される。
【００５９】
初期の芳香運転後の芳香運転は、トイレ空間の芳香濃度を略一定にするためのものであり、初期の芳香運転に比べて、加熱温度は低くなり、加熱時間は短く、またファンの回転数も低くなっている。
【００６０】
芳香運転の運転間隔および、加熱温度は、トイレ空間の広さや自然換気量に応じて予め決められたものとなっている。
【００６１】
このような芳香運転の制御を行うことによって、大便臭や小便臭と芳香成分が混合して異臭となることを防ぐことが可能となるとともに、芳香運転初期はすばやくトイレ空間を芳香し、トイレ空間の自然換気量に応じて、芳香運転をオンオフするため、トイレ空間の芳香濃度が略一定になるように制御可能になり、芳香剤の過剰な使用を抑制できるため、経済的にトイレ空間を芳香することができる。
【００６２】
第二の実施例について図面を用いて説明する。図５および図６は本発明の第二の実施例に用いるトイレ用脱臭芳香器の構成図であり、図５はトイレ用脱臭芳香器の外観図、図６はトイレ用脱臭芳香器の分解図である。
【００６３】
また、図４はトイレ空間に本発明の脱臭芳香器を設置状況の図であり、トイレ空間２１４には、便器２１０、温水洗浄便座２１３、脱臭芳香器２０１および人体検知部２１２が備わっている。
【００６４】
脱臭芳香器２０１は、ベースプレート２２０、モータプレート２３０、ファン・モータ２４０、ファンケース２５０、制御基板２６０、芳香供給装置２７０、風向切換板２７５、光触媒脱臭ユニット部２８０、芳香供給装置押え２９０、風向板３００、本体ケース３１０、プレフィルタ３２０、パネル３３０、およびにニオイセンサー３４０からなっている。
【００６５】
また、脱臭芳香器２０１には、赤外線受光部２０５が備わっており、人体検知部２１２からの信号を受信することができるようになっている。
【００６６】
また、人体検知部２１２は、脱臭芳香器２０１とは別体であり、人体を検知しやすい場所に設置さえれており、温水洗浄便座へも人体検知信号を発信している。つまり、人体検知部２１２は、脱臭芳香器２０１および温水洗浄便座２１３共通のものである。
【００６７】
脱臭運転時にはファン・モータ２４０が駆動すると共に風向切換板２７５により光触媒ユニット２７０を通過する風路が開放される。トイレ空間の空気は、吸込口２０２より吸込まれ、プレフィルタ３２０、光触媒脱臭ユニット部２８０をとおり、ファンケース吸込口２５１に吸込まれる。吸込まれた空気は、ファン・モータによってファンケース風路２５２、停止状態の芳香供給装置２７０を通り吹出口２０３より吹き出される。
【００６８】
芳香運転時にはファンモータ２４０が駆動すると共に風向切換板２７５により光触媒脱臭ユニット部２８０を通過しない風路が開放される。トイレ空間の空気は吸込口２０２より吸込まれ、プレフィルタ３２０を通り、ファンケース吸込口２５１に吸込まれる。吸込まれた空気は、ファンモータによってファンケース風路２５２、運転状態の芳香供給装置２７０を通り、吹出口２０３より吹き出される。
【００６９】
また、芳香供給装置２７０は、液体の芳香剤、ヒータ（図示せず）を備えており、液体芳香剤を加熱し気化させることによって芳香成分を発生させる構成となっており、加熱温度および、加熱のオンオフは予め決められた動きをするように制御されている。
【００７０】
光触媒脱臭ユニット部２８０には、紫外線ランプ２８１および光触媒２８２が備えてあり、紫外線ランプ２７１は、紫外線の強度を調節可能に制御されている。
【００７１】
次に、脱臭芳香器２０１における制御方法を図７を用いて説明する。トイレ使用者がトイレ空間２１４に入室すると、人体検知部２１２によって人体検知信号が脱臭芳香器２０１および温水洗浄便座２１３に発信されると、風向切換板２７５により光触媒脱臭ユニット部２８０を通過する風路が開放されると共にファン・モータ２４０が駆動し、紫外線ランプ２７１が点灯し、脱臭運転を行う。
【００７２】
トイレ使用に応じて臭気強度が変化するため、ニオイセンサー３４０が検知する臭気強度が高い場合は、ファンの回転数を上げ、紫外線ランプ強度を強くすることで、臭気強度をすばやく低下させるとともに、臭気強度の低下とともにファンの回転数を低くし、紫外線ランプ強度を低くすることによって、臭気強度に応じた脱臭作用を提供するように制御されている。
【００７３】
一方、トイレ使用者がトイレ空間から退出して、人体検知信号が発信されなくなると、風向切換板２７５により活性炭を通過しない風路が開放されると共にファン・モータが駆動し芳香運転を開始する。
【００７４】
芳香開始時は、トイレ空間の芳香濃度は低いため、加熱温度を高くするとともに、ファンの回転数を高くし、トイレ空間にすばやく芳香成分が行き渡るように制御されている。
【００７５】
また、一定時間芳香運転が行われた後、芳香剤の加熱およびファンの運転を停止した後、一定時間ごとに芳香運転のオンオフを繰り返すように制御される。
【００７６】
初期の芳香運転後の芳香運転は、トイレ空間の芳香濃度を略一定にするためのものであり、初期の芳香運転に比べて、加熱温度は低くなり、加熱時間は短く、またファンの回転数も低くなっている。
【００７７】
芳香運転の運転間隔および、加熱温度は、トイレ空間の広さや自然換気量に応じて予め決められたものとなっている。
【００７８】
このような芳香運転の制御を行うことによって、大便臭や小便臭と芳香成分が混合して異臭となることを防ぐことが可能となるとともに、芳香運転初期はすばやくトイレ空間を芳香し、トイレ空間の自然換気量に応じて、芳香運転をオンオフするため、トイレ空間の芳香濃度が略一定になるように制御可能になり、芳香剤の過剰な使用を抑制できるため、経済的にトイレ空間を芳香することができる。
【００７９】
このように脱臭運転、芳香運転を行うことによって、トイレ使用中は、臭気発生源があるため、脱臭運転によって臭気強度を下げることが可能となり、トイレ使用者がいない場合は、臭気発生源がないため、脱臭運転を停止し、芳香運転を行って、トイレ空間の芳香濃度を最適に制御することにより、使用者がトイレ空間に入室したときは、トイレ空間は適度に芳香されており快適にトイレを使用することが可能となる。
【００８０】
第三の実施例について図面を用いて説明する。図８、図１０は本発明の第三の実施例に用いるトイレ用脱臭芳香器の構成図であり、図８はトイレ用脱臭芳香器の外観図、図１０はトイレ用脱臭芳香器の分解図である。
【００８１】
トイレ用脱臭芳香器４０１は、吸込口４０２、吹出口４０３、操作部４０４および人体検知部４０５が備わっている。
【００８２】
また、トイレ用脱臭芳香器４０１は、ベースプレート４１０、モータプレート４２０、ファン・モータ４３０、ファンケース４４０、制御基板４５０、芳香供給装置４６０、オゾン発生装置４７０、風向切換板４７５、芳香供給装置押え４８０、風向板４９０、本体ケース５００、プレフィルタ５１０、およびパネル５２０よりなっている。
【００８３】
操作部４０４の詳細を図９に示す。操作部４０４は主電源をオンオフする電源操作部４０６、トイレ使用履歴に基づき脱臭運転及び芳香運転を自動で行う自動運転操作部４０７、脱臭運転を手動で行う脱臭運転操作部４０８、および芳香運転を手動で行う芳香運転操作部４０９が備わっている。
【００８４】
脱臭運転時にはファン・モータ４３０が駆動すると共に風向切換板４７５によりオゾン発生装置４７０を通過する風路が開放される。トイレ空間の空気は、吸込口４０２より吸込まれ、プレフィルタ５１０、オゾン発生装置４７０をとおり、ファンケース吸込口４４１に吸込まれる。吸込まれた空気は、ファン・モータによってファンケース風路４４２、停止状態の芳香供給装置４６０を通り吹出口４０３より吹き出される。
【００８５】
芳香運転時にはファンモータ４４０が駆動すると共に風向切換板４７５によりオゾン発生装置４７０を通過しない風路が開放される。トイレ空間の空気は吸込口４０２より吸込まれ、プレフィルタ５１０を通り、ファンケース吸込口４４１に吸込まれる。吸込まれた空気は、ファンモータによってファンケース風路４４２、運転状態の芳香供給装置４６０を通り、吹出口４０３より吹き出される。
【００８６】
また、芳香供給装置４６０は、液体の芳香剤、ヒータ（図示せず）を備えており、液体芳香剤を加熱し気化させることによって芳香成分を発生させる構成となっており、加熱温度および、加熱のオンオフは予め決められた動きをするように制御されている。
【００８７】
また、オゾン発生装置４７０は、オゾン発生量を制御できるようになっている。
【００８８】
次に、トイレ用脱臭芳香器４０１における制御方法を図１１、１２を用いて説明する。
図１１は、一般家庭の平日の一例である。トイレ使用頻度は、人体検知部４０５により計測されている。
【００８９】
トイレ使用頻度は、朝と夕方から就寝前にピークを迎えている。自動運転オンの場合、使用頻度がＡ値を超える場合脱臭運転を行う。使用頻度のピークの時刻帯には、オゾン発生量を増やすと共に、ファン回転数を高くすることによって、脱臭運転のみを行う。トイレ使用頻度がＡ値以下になると、芳香運転のみ開始し、トイレ空間の芳香濃度を高くするように制御される。
【００９０】
芳香開始時は、トイレ空間の芳香濃度は低いため、加熱温度を高くするとともに、ファンの回転数を高くし、トイレ空間にすばやく芳香成分が行き渡るように制御されている。
【００９１】
また、一定時間芳香運転が行われた後、芳香剤の加熱およびファンの運転を停止した後、一定時間ごとに芳香運転のオンオフを繰り返すように制御される。
【００９２】
初期の芳香運転後の芳香運転は、トイレ空間の芳香濃度を略一定にするためのものであり、初期の芳香運転に比べて、加熱温度は低くなり、加熱時間は短く、またファンの回転数も低くなっている。
【００９３】
芳香運転の運転間隔および、加熱温度は、トイレ空間の広さや自然換気量に応じて予め決められたものとなっている。
【００９４】
また図１２は、一般家庭の休日の一例である。トイレ使用頻度は、人体検知部４０５により計測されている。
【００９５】
トイレ使用頻度は、朝と夕方から就寝前にピークを迎えているが、朝にピークの時間帯が少しずれていることと、昼間の使用頻度が、平日に比較して高くなっている。自動運転オンの場合、使用頻度のピークの時刻帯には、オゾン発生量を増やすと共に、ファン回転数を高くすることによって、脱臭運転のみを行う。トイレ使用頻度があるＡ値以下になると、芳香運転のみ開始し、トイレ空間の芳香濃度を高くするように制御されるが、昼間の使用頻度は平日よりも高くＡ値を超えるため、脱臭運転を行う。
【００９６】
就寝後など使用頻度があるＡ値よりも低くなると、脱臭運転を停止し、芳香運転のみ行う。
【００９７】
芳香開始時は、トイレ空間の芳香濃度は低いため、加熱温度を高くするとともに、ファンの回転数を高くし、トイレ空間にすばやく芳香成分が行き渡るように制御されている。
【００９８】
また、一定時間芳香運転が行われた後、芳香剤の加熱およびファンの運転を停止した後、一定時間ごとに芳香運転のオンオフを繰り返すように制御される。
【００９９】
初期の芳香運転後の芳香運転は、トイレ空間の芳香濃度を略一定にするためのものであり、初期の芳香運転に比べて、加熱温度は低くなり、加熱時間は短く、またファンの回転数も低くなっている。
【０１００】
芳香運転の運転間隔および、加熱温度は、トイレ空間の広さや自然換気量に応じて予め決められたものとなっている。
【０１０１】
上記のようにこの一般家庭の例では平日、休日の使用頻度を異なるので、一週間分の使用頻度を記憶し、一週間分の使用頻度に応じた運転を行うように制御されている。
【０１０２】
また、上記のように自動運転の場合のみ説明してきたが、自動運転中においても、トイレ使用者が脱臭運転や芳香運転を操作部４０４により手動で行うことが可能である。
【０１０３】
自動運転から手動運転で操作を行う場合、自動運転操作部４０７により自動運転を手動で復帰させることが可能であるとともに、使用者が自動運転の復帰操作を忘れた場合は、一定時間後に自動運転に自動で復帰するように制御されている。
【０１０４】
このような脱臭運転および芳香運転の制御を行うことによって、トイレ使用頻度が高い場合は、臭気濃度が高いので、脱臭運転を行い、大便臭や小便臭と芳香成分が混合して異臭となることを防ぐことが可能となるとともに、芳香運転初期はすばやくトイレ空間を芳香し、トイレ空間の自然換気量に応じて、芳香運転をオンオフするため、トイレ空間の芳香濃度が略一定になるように制御可能になり、芳香剤の過剰な使用を抑制できるため、経済的にトイレ空間を芳香することができる。
【０１０５】
【発明の効果】
以上述べてきた通り、本発明によれば、芳香と脱臭を効率的に行い、無駄に芳香剤を使用することもない、トイレ用脱臭芳香器を提供することが、可能となる。
【図面の簡単な説明】
【図１】第一の実施例におけるトイレ用脱臭芳香器の外観図
【図２】第一の実施例におけるトイレ用脱臭芳香器の分解図
【図３】第一の実施例におけるトイレ用脱臭芳香器の制御方法
【図４】第二の実施例におけるトイレ空間
【図５】第二の実施例におけるトイレ用脱臭芳香器の外観図
【図６】第二の実施例におけるトイレ用脱臭芳香器の分解図
【図７】第二の実施例におけるトイレ用脱臭芳香器の制御方法
【図８】第三の実施例におけるトイレ用脱臭芳香器の外観図
【図９】第三の実施例における操作部の詳細図
【図１０】第三の実施例におけるトイレ用脱臭芳香器の分解図
【図１１】第三の実施例におけるトイレ用脱臭芳香器の平日における制御方法
【図１２】第三の実施例におけるトイレ用脱臭芳香器の休日における制御方法
【符号の説明】
１…トイレ用脱臭芳香器、２…吸込口、３…吹出口、４…操作部、
１０…ベースプレート、２０…モータプレート、３０…ファン・モータ、
４０…ファンケース、４１…ファンケース吸込口、
４２…ファンケース風路、５０…制御基板、６０…芳香供給装置、
７０…活性炭、７５…風向切換板、８０…芳香供給装置押さえ、
９０…風向板、１００…本体ケースｙ、１１０…プレフィルタ、
１２０…ニオイセンサー、１３０…パネル、
２０１…トイレ用脱臭芳香器、２０２…吸込口、２０３…吹出口、
２０４…操作部、２０５…受光部、２１０…便器、２１２…人体検知部、
２１３…温水洗浄便座、２１４…トイレ空間、２２０…ベースプレート、
２３０…モータプレート、２４０…ファン・モータ、
２５０…ファンケース、２５１…ファンケース吸込口、
２５２…ファンケース風路、２６０…制御基板、２７０…芳香供給装置、
２７５…風向切換板、２８０…光触媒脱臭ユニット部、
２８１…紫外線ランプ、
２８２…光触媒、２９０…芳香供給装置押さえ、
３００…風向板、３１０…本体ケースｙ、３２０…プレフィルタ、
３３０…パネル、３４０…ニオイセンサー、
４０１…トイレ用脱臭芳香器、４０２…吸込口、４０３…吹出口、
４０４…操作部、４０５…人体検知部、４０６…電源操作部、
４０７…自動運転操作部、４０８…脱臭運転操作部、
４０９…芳香運転操作部、４１０…ベースプレート、
４２０…モータプレート、４３０…ファン・モータ、
４４０…ファンケース、４４１…ファンケース吸込口、
４４２…ファンケース風路、４５０…制御基板、
４６０…芳香供給装置、４７０…オゾン発生装置、４７５…風向切換板、
４８０…芳香供給装置押さえ、４９０…風向板、
５００…本体ケースｙ、５１０…プレフィルタ、５２０…パネル
【図１】
2004141618.tif 000003
【図２】
2004141618.tif 000004
【図３】
2004141618.tif 000005
【図４】
2004141618.tif 000006
【図５】
2004141618.tif 000007
【図６】
2004141618.tif 000008
【図７】
2004141618.tif 000009
【図８】
2004141618.tif 000010
【図９】
2004141618.tif 000011
【図１０】
2004141618.tif 000012
【図１１】
2004141618.tif 000013
【図１２】
2004141618.tif 000014